(57)【要約】      （修正有）【課題】ゴルフプレーに使用する多機能クラブは、従来複数の重いクラブバックを持ちプレーしていたが、其のクラブを一本に集約する事により、熟年者も疲労が少なく周囲の森林浴を兼ねて身軽にプレー参加が出来る。【解決手段】多機能クラブは、ライ角とロフト角を同軸回転して同時に変更するクラブへッド。シャフトの伸縮は、従来通り伸縮竿や機器の伸縮柄と同様に行う、ライ角とロフト角を左右する部位は、先上がり回転軸芯（１−４）の方向にある、ヘッドの手前（Ｅ）より先部位（Ｆ）を（１−４）より回転半径大にして、先部位が大きく変位させる、即ちライ角は（Ｎ）から（Ｎ’）へ変更する、ヘッドの接地ラインは変わらず〔（ＧＨ〜ＧＨ’）⇒（Ｇ〜Ｇ’）〕、シャフトの立ち方向（Ａ〜Ａ’）が垂直位置へ近づく、同時にロフト角はヘッドフェース下位（Ｆ）から（Ｆ’）へ変位して、ロフト角は（Ｍ）から（Ｍ’）へ変更する。【選択図】図１
0003108085.tif 000002
【実用新案登録請求の範囲】
【請求項１】
ゴルフ用のクラブシャフト（１）の先き部位（１−４）をヘッド（２）の裏側位置で先上がり方向の軸にして、ヘッド（２）の回転リング（２−１）を回転自在に嵌め、（２）を必要に回転変位して、（１−４）と（２−１）を（１−４）の先部位を（３）で止める、ヘッド（２）の回転によりライ角とロフト角を同時に変更するクラブ。
【考案の詳細な説明】
【技術分野】
【０００１】  実施例図に基づき説明する、ゴルフ用の多機能クラブは、クラブヘッド（２）の裏側のシャフト（１）延長部位（１−４）先上がり方向の軸を回転軸芯へ、（２）の裏側で（２）と同体開示の回転リング（２−１）を嵌め、（２）と（２−１）は同体に回転変位して、（２）のライ角とロフト角を同時に変更する。
（１）の伸縮は従来通り随意必要長さに伸縮して締め止める、パターは（２）部位へ別途にパターフェース具を取り付ける、この様にして全クラブを一本で代用する。
（２）部位の構造の説明、（１）の（２）裏側に突出した部位を先上がり方向の軸芯（１−４）にして、（２）の回転リング（２−１）部位を回転自在に（１−４）へ嵌める、（１−４）の先端部位は螺旋ボルトにしてナット（３）により（２−１）を締め（２）と（１）を固定する、または（２−１）．（１−４）を通しピン．栓で締め（２）と（１）を固定する。
（２）の裏側で（１）の先部位の（１−４）方向は先上がり（Ｂ〜Ｂ’）であり、回転半径の大きい（２）の（Ｃ）と（Ｆ）は回転半径の小さい（Ｅ）．（Ｄ）より大回りに変位してライ角を変更する。
図１の（Ｆ）部位を手前に回し上げ、（Ｆ’）へ移動した場合、（２）の底辺（Ｇ〜Ｇ’）は（ＧＨ〜ＧＨ’）へ変位してライ角は（Ｎ）から（Ｎ’）へ変更する、同時に図１の（Ｊ〜Ｋ）側面図図２では、（Ｆ）が（Ｇ）ライン位置から（ＧＨ）ライン位置の（Ｆ’）へ（１−４）を回転芯にして回し上がりロフト角は（Ｍ）から（Ｍ’）へ変更する。
シャフトの長さグリップの位置は、従来の伸縮旗竿や伸縮柄の方法で随意伸縮し、締め付け固定して使用する。
多機能クラブをパターに使用する場合は、ヘッドのフェース部位へパター用面を取り付け使用する。
ヘッド背面開示の（４）は、（２）の重量調整と振れ止め、またショット時ホールがフェース芯を外した場合、振動がグリップへ伝わるのを防ぐ装置。
【背景技術】
【０００２】  従来は、ライ角とロフト角を個別に補正している。
【考案の開示】
【考案が解決しようとする課題】
【０００３】  熟年者のゴルフプレーは歩きを楽しみながらプレーする事にゴルフの価値がある、重いゴルフバックを持ち歩く事は疲労が早くプレーが乱れグループに迷惑を掛ける。
課題
１  カート使用しないで、熟年者の森林浴希望
２  体力を養いながら普通の人とプレーする方法。
【課題を解决する為の手段】
【０００４】  （２）はライ角とロフト角を同時に必要時変更し、シャフトの短長調整やパターフェース取り付けは必要時に行い、一本のクラブで代用してプレーする。
【考案の作用】
【０００５】１  回転自在のクラブヘッド（２）を支持するシャフト（１）の先部位を、先上がりの回転軸芯（１−４）方向にして、（２）の先下位（Ｆ）の回転半径を手前下位（Ｅ）より大きくする、（２）の先部位が手前より大きく回転するので大きく変位してライ角を変更する、（２）の回転は同時に（２）のフェース向きを変えロフト角を変更する。
２  （２）の裏側へ、使用する人の能力に合わせて重り（４）を取り付け、バランスをとり使い良くする、（４）は（２）の振れやグリップへの振動を和らぐ役割をする。
３  シャフトの長さは、従来通り伸縮竿や柄の如く、好みに合わせ随意に伸縮して締め付け固定して使用する。
４  パターフェースは、必要時別途に磁器タイプか嵌め込みタイプにより取り付け使用する。
５  種々の用途クラブのライ角ロフト角に（２）を変更して全クラブに代用する、また芝生が痛まないようにクラブのグリップエンドへゴム等を取り付け、クラブを登坂歩行の杖に使用する。
【考案の効果】
【０００６】  ゴルフプレーが一本のクラブで出来る様にした事により、熟年者もカートを使用する事無く、疲労が少なく容易に歩行してプレーする事ができる。
【図面の簡単な説明】
【０００７】
【図１】  ゴルフ用多機能クラブのフェース面及び伸縮シャフトの全景と透視図。
【図２】  図１の（Ｊ〜Ｋ）面図からヘッド部位の側面図、図２の斜線表示図はヘッド（２）．回転リング部位とシャフト（１）のヘッド裏側延長の軸芯（１−４）．補正重り（４）部位を斜線で分けひょうじする。
【符合の説明】
【０００８】１はクラブシャフト。
１−１はクラブシャフトのグリップ。
１−２は（１−１）のストッパー鍔状の部位。
１−２’はシャフトを収縮した場合の（１−２）の位置。
１−３は（１−１）のスライド伸縮後（１）と（１−１）を一次締め付け固定する部位。
１−３’はシャフトを収縮した場合の（１−３）の位置。
１−４はシャフト先部位のジョイント部位（１−５）を介して、ヘッド裏面先上がり方向に延長した部位、ヘッドの自在回転リング（２−１）の軸芯。
２はゴルフクラブのヘッド。
３は（１−４）へ（２−１）を嵌め締め付け固定するナット。
４は（２）の重量補正の重り、及び振れ止め。
４−１は（４）のアーム、（２−１）を貫通して（１−４）へ取り外し自在に連結する部位。
【図１】
0003108085.tif 000003
【図２】
0003108085.tif 000004
【手続補正書】
【提出日】平成16年10月18日(2004.10.18)
【手続補正１】
【補正対象書類名】実用新案登録請求の範囲
【補正対象項目名】全文
【補正方法】変更
【補正の内容】
【実用新案登録請求の範囲】
【請求項１】
クラブシャフトとクラブヘッドとから成り、前記クラブシャフトのクラブヘッド取付側の先端部を、使用状態において、先端に近付くほど上へ向くよう傾斜させて回転軸芯を形成し、前記クラブヘッドの裏面に、その底辺に対して斜めに交差する筒部を一体に設け、該筒部に前記クラブシャフトの回転軸芯を回動・固定可能に挿通し、前記クラブヘッドを前記回転軸芯に対して回動させることにより、ライ角及びロフト角が同時に変化することを特徴としたゴルフ用の多機能クラブ。
【手続補正２】
【補正対象書類名】明細書
【補正対象項目名】全文
【補正方法】変更
【補正の内容】
【考案の詳細な説明】
【技術分野】
【０００１】
本考案は、ゴルフ用の多機能クラブに関する。
【背景技術】
【０００２】
従来のゴルフ用クラブは、用途に応じてライ角及びロフト角の異なる複数種類がある。これら多種類のゴルフクラブを収納した重いクラブバッグを持ち歩いてプレーすると疲労しやすく、プレーにも悪影響を与え、グループに迷惑をかけることもあった。
【考案の開示】
【考案が解決しようとする課題】
【０００３】
本考案が解決しようとする課題は、１本で種々の用途のゴルフクラブに代用することができ、熟年者でも疲労することなくプレーを楽しむことのできるゴルフ用の多機能クラブを提供することにある。
【課題を解決するための手段】
【０００４】
本考案のゴルフ用の多機能クラブは、クラブシャフトとクラブヘッドとから成り、前記クラブシャフトのクラブヘッド取付側の先端部を、使用状態において、先端に近付くほど上へ向くよう傾斜させて回転軸芯を形成し、前記クラブヘッドの裏面に、その底辺に対して斜めに交差する筒部を一体に設け、該筒部に前記クラブシャフトの回転軸芯を回動・固定可能に挿通してある。前記クラブヘッドを前記回転軸芯に対して回動させることにより、ライ角及びロフト角が同時に変化する。
【考案の効果】
【０００５】
本考案によれば、クラブヘッドを回動させて固定するだけで、用途に応じてライ角及びロフト角を同時に、且つ、簡単に変えることができるので、１本で多種類のクラブとして使用することが可能であり、このため、多数のクラブを収納した重いクラブバッグを持ち運ぶ必要が無く、熟年者であっても、カートを使用せずに歩行してプレーすることができる。
【考案を実施するための最良の形態】
【０００６】
以下、本考案の実施例を図面に基づいて詳細に説明する。
本考案のゴルフ用の多機能クラブは、図１に示すように、クラブシャフト１とクラブヘッド２とを備える。
クラブシャフト１の一端に設けられたグリップ１−１は、周知の伸縮竿や伸縮柄と同様にして、クラブシャフト１に対しスライドさせると共に、締め付け固定部１−３において固定可能であり、これによりクラブシャフト１の長さを好みに合わせて伸縮することができる。
即ち、グリップエンド１−２及び締め付け固定部１−３は、グリップ１−１を押し込んだ時にそれぞれ１−２’，１−３’の位置へ移動し、グリップ１−１を引き出したときに比べてクラブシャフト１の長さはＬだけ短くなる。
また、クラブシャフト１のグリップエンド１−２へゴム等を取り付け、ゴルフクラブを杖として使用した時に、芝生を傷めないようにすることもできる。
クラブシャフト１のクラブヘッド２取付側の先端部は、使用時の状態で先端に近付くほど上へ向くよう傾斜させて回転軸芯１−４が形成される。回転軸芯１−４の先端部はボルト状になっている。
【０００７】
クラブヘッド２の裏面には、底辺Ｇ−Ｇ’と斜めに交差する線Ｂ−Ｂ’に沿って筒部２−１が一体に設けられる。そして、クラブヘッド２の筒部２−１にクラブシャフト１の回転軸芯１−４を回動自在に挿通し、回転軸芯１−４の先端部にナット３を締め込んで、クラブヘッド２とクラブシャフト１とを固定する。
なお、筒部２−１へ回転軸芯１−４を通し、ピン栓で締め付けてクラブヘッド２とクラブシャフト１とを固定することもできる。
また、筒部２−１を貫通して、回転軸芯１−４にアーム４−１の一端が取り外し自在に連結され、アーム４−１の他端に重量補正用の錘４が装着される。錘４を使用者の能力に合わせて取り付けることにより、重量調整を行ってバランスを良くし、クラブヘッド２の振れや、フェース芯を外して打った時にグリップ１−１へ振動が伝わるのを防ぐことができる。
【０００８】
筒部２−１を回転軸芯１−４に対して回動させ、図２の反時計回りに破線で示す位置までクラブヘッド２を回転させると、図１に示すように、クラブヘッド２の４個の角部Ｃ，Ｄ，Ｅ，ＦはＣ’，Ｄ’，Ｅ’，Ｆ’の位置まで回動する。この時、線Ｂ−Ｂ’に近い角部Ｅ，Ｄよりも、線Ｂ−Ｂ’から遠い角部Ｃ，Ｆが大きく移動して、クラブヘッド２の接地ラインである底辺Ｇ−Ｇ’がＧＨ−ＧＨ’の位置まで上方へ回動する。
この結果、クラブヘッド２のグラウンドラインＧ，ＧＨに対するフェースの角度（ロフト角）がＭからＭ’へ変化するだけでなく、同時に、クラブシャフト１の中心軸Ａ−Ａ’とクラブヘッド２の底辺Ｇ−Ｇ’，ＧＨ−ＧＨ’との角度（ライ角）がＮからＮ’へ変化する。
【０００９】
即ち、用途に応じて、ゴルフクラブのロフト角及びライ角を同時に、且つ、簡単に変えることができ、１本のゴルフクラブで他種類のゴルフクラブとして使用することが可能となる。
また、このゴルフクラブをパターとして使用する場合には、クラブヘッド２のフェースに、磁器素材等のパターフェース具を嵌め込み等により着脱可能に装着する。
【図面の簡単な説明】
【００１０】
【図１】本発明の実施例を示すゴルフ用の多機能クラブの側面図。
【図２】クラブヘッド及び回転軸芯の断面図。
【符号の説明】
【００１１】
１  クラブシャフト
１−１  グリップ
１−２  グリップエンド
１−３  締め付け固定部
１−４  回転軸芯
２  クラブヘッド
２−１  筒部
３  ナット
４  錘
４−１  アーム
【手続補正３】
【補正対象書類名】図面
【補正対象項目名】全図
【補正方法】変更
【補正の内容】
【図１】
0003108085.tif 000005
【図２】
0003108085.tif 000006